(57)【要約】【課題】携帯通信端末でダウンロードしたコンテンツを、赤外線で家電機器へ転送し再生する【解決手段】操作手段を所定の手順で操作することにより、カラオケ楽曲データを指定して通信手段にてダウンロードすることができ、データ送信手段およびデータ受信手段にて赤外線でデータを転送し、カラオケ楽曲データを再生手段で再生することができて、歌詞や画像を表示手段に表示することができる。【選択図】  図１
2004177586.tif 000002
【特許請求の範囲】
【請求項１】
データ通信可能な携帯通信端末と、カラオケ楽曲を再生可能なコンテンツ再生装置とから構築されるコンテンツ再生システムであって、
携帯通信端末は
ユーザーが曲のリクエスト番号を指定する操作手段と、
指定された前記リクエスト番号に対応するカラオケ楽曲データをダウンロードする通信手段と、
前記ダウンロードしたカラオケ楽曲データを赤外線にて出力するデータ送信手段とを備え、
コンテンツ再生装置は
前記携帯通信端末から赤外線にてカラオケ楽曲データを入力するデータ受信手段と、
楽曲を再生する再生手段と、
文字や画像を表示
する表示手段と、
前記入力したカラオケ楽曲データを前記再生手段にて再生するとともに対応する歌詞や画像を前記表示手段に表示する手段と、
を備えたことを特徴とするコンテンツ再生システム。
【請求項２】
データ通信可能な携帯通信端末と、楽曲や音声、文字や画像からなるコンテンツデータを再生可能なコンテンツ再生装置とから構築されるコンテンツ再生システムであって、
携帯通信端末は
ユーザーがコンテンツを指定する操作手段と、
指定された前記コンテンツに対応するひとつまたは複数のコンテンツデータをダウンロードする通信手段と、
前記ダウンロードしたコンテンツデータを赤外線にて出力するデータ送信手段とを備え、
コンテンツ再生装置は
前記携帯通信端末から赤外線にてコンテンツデータを入力するデータ受信手段と、
楽曲や音声を再生する再生手段と、
文字や画像を表示する表示手段と、
前記入力したコンテンツデータを解析しコンテンツデータに含まれるおよび／またはコンテンツデータを元に生成される、楽曲や音声を再生手段にて再生するおよび／または文字や画像を前記表示手段に表示する手段と、
を備えたことを特徴とするコンテンツ再生システム。
【請求項３】
コンテンツ再生装置は
内部メモリあるいは着脱可能な外部メモリによるストレージ手段をさらに備え
前記入力したコンテンツデータを保持できることを特徴とする
請求項１または２に記載のコンテンツ再生システム。
【請求項４】
携帯通信端末、コンテンツ再生装置は
前記データ送信手段、前記データ受信手段の代わりに、コンテンツデータおよび／または制御データを赤外線にて送受信する赤外線通信手段を備え、
携帯通信端末とコンテンツ再生装置が相互にデータおよび／または制御情報の交換を行えることを特徴とする請求項１から３のいずれか１項に記載のコンテンツ再生システム。
【請求項５】
携帯通信端末は
内部メモリあるいは着脱可能な外部メモリによる端末内ストレージ手段をさらに備え
前記ダウンロードしたコンテンツデータまたは前記赤外線通信手段を経由しコンテンツ再生装置から入力したコンテンツデータを保持できることを特徴とする請求項１から４のいずれか１項に記載のコンテンツ再生システム。
【請求項６】
携帯通信端末は
楽曲や音声を再生する携帯端末再生手段と、
文字や画像を表示する携帯端末表示手段と、
前記ダウンロードしたコンテンツデータまたは前記赤外線通信手段を経由しコンテンツ再生装置から入力したコンテンツデータまたは前記端末内ストレージ手段にて保持するコンテンツデータを解析し、コンテンツデータに含まれるおよび／またはコンテンツデータを元に生成される、楽曲や音声を前記携帯端末再生手段再生手段にて再生するおよび／または文字や画像を前記携帯端末再生手段表示手段に表示する手段と、
をさらに備えたことを特徴とする請求項１から５のいずれか１項に記載のコンテンツ再生システム。
【発明の詳細な説明】
【０００１】
【発明の属する技術分野】
本発明は、赤外線発光手段を備え携帯可能な通信端末を用いてコンテンツデータを入手し、赤外線受光手段を備えた装置（デジタルテレビ、パソコン、カーナビあるいはカラオケ専用ハードとの複合機、など）で再生するコンテンツ再生システムに関する。
【０００２】
なお、本明細書において「コンテンツ」を、無線（ＴＶ電波等）または有線（インターネット等）を経由して発信者から利用者のもとに届けられ、文章、音声、楽曲、静止画、動画、または、それらの複合形で表現される情報と定義する。
【０００３】
【従来の技術】
近年、携帯電話に代表される小型の携帯端末で楽曲や動画が再生可能となりつつある。このような携帯端末では、小型軽量化により記憶容量が制約されるため、録音された音楽を圧縮記録する技術が進歩する一方、携帯電話の着信メロディで利用されるＭＩＤＩ等、音源を搭載しデータのサイズをコンパクトにする手法を採用する端末も多い。ＭＩＤＩは業務用カラオケでも利用されている技術で、携帯電話でもＭＩＤＩを採用することでカラオケが実現されつつある。
【０００４】
一方、デジタル技術の進歩にともない、家電機器、特にオーディオ・ビデオ機器は、インターネットを利用し、本来の用途以外の様々な機能をソフトウェアで実現するようになってきている。たとえばデジタルテレビでは、本来放送映像を見る機能以外に、ＷＷＷ（Ｗｏｒｌｄ  Ｗｉｄｅ  Ｗｅｂ）のブラウジング機能を搭載しさらにはカラオケデータをダウンロードしカラオケを楽しめるものもある。
【０００５】
従来のカラオケ再生機能の付いた携帯電話とデジタルテレビに関する技術は、モバイル環境でカラオケを楽しむ場合に、装置間の連携機能のない携帯電話とカラオケ楽曲データ再生装置を別々の操作体系に基づき操作しなければならなかった不便を解決するための技術である（例えば特許文献１参照。）。また、リビング環境でカラオケを楽しむ場合に、装置間の連携機能のないデジタルテレビとカラオケ楽曲データ再生装置を別々の操作体系に基づき操作しなければならなかった不便を解決するための技術である。
【０００６】
携帯電話、デジタルテレビは、インターネットへの接続を行う通信手段、着メロや警告音などの楽曲の再生手段、液晶ディスプレイやブラウン管による文字・画像の表示手段およびダイヤルボタンやリモコンによる操作手段を備えている。操作手段にて指定された楽曲に対するカラオケ楽曲データを、通信手段にてカラオケサービスプロバイダからダウンロードし、再生手段にて再生するとともに対応する歌詞および画像を表示手段に表示することで、なんらの外部機器を必要とせず単体でカラオケを楽しむことが可能となる。
【０００７】
【特許文献１】
特開２００２−２４４６８１号公報
【０００８】
【発明が解決しようとする課題】
携帯通信端末では、搭載する画面サイズを小さくし、スピーカーをコンパクトにすることで携帯性を重視する。一方、カラオケは大勢で楽しみたいコンテンツである。しかし、携帯電話の画面をみんなで覗き込んで楽しむことは実質的に無理である。さらに携帯電話は音量も小さくエコーも無いため、カラオケとして十分な楽しみ方を実現できない。
【０００９】
デジタルテレビに対しインターネット接続機能をテレビに付加する場合、ダイヤルアップあるいはブロードバンドに接続するモデムを搭載することになる。また、通信カラオケをリビングで楽しむためには、家屋内に電話線やＬＡＮの線を曳きまわす必要がある。さらに、通信装置の通信サービスと通信カラオケサービスはサービス業者が別々であり、ユーザーは通信装置の通信サービス契約と通信カラオケサービスの契約を併せて結ぶ必要がある（携帯電話端末では電話契約時の情報を元にコンテンツの決済を行う流れが一般的になっている）。オンラインでの登録も一般的になってきたが、クレジットカード番号がネットワークを流れることについて不安を感じるユーザーも多い。
【００１０】
本発明は、携帯通信端末におけるコンテンツ利用の制約と、家電機器においてインターネット接続を実現する場合の機器の追加等によるコストアップおよびコンテンツ利用の手続きの不便を解決するコンテンツ再生システムを提供することを目的とする。
【００１１】
【課題を解決するための手段】
第１の発明は、データ通信可能な携帯通信端末と、カラオケ楽曲を再生可能なコンテンツ再生装置とから構築されるコンテンツ再生システムであって、
携帯通信端末は
ユーザーが曲のリクエスト番号を指定する操作手段と、
指定されたリクエスト番号に対応するカラオケ楽曲データをダウンロードする通信手段と、
ダウンロードしたカラオケ楽曲データを赤外線にて出力するデータ送信手段とを備え、
コンテンツ再生装置は
携帯通信端末から赤外線にてカラオケ楽曲データを入力するデータ受信手段と、
楽曲を再生する再生手段と、
文字や画像を表示する表示手段と、
入力したカラオケ楽曲データを再生手段にて再生するとともに対応する歌詞や画像を表示手段に表示する手段と、
を備えたことを特徴とするコンテンツ再生システムである。
【００１２】
上記第１の発明によれば、操作手段を所定の手順で操作することにより、カラオケ楽曲データを指定して通信手段にてダウンロードすることができ、データ送信手段およびデータ受信手段にて赤外線でデータを転送し、カラオケ楽曲データを再生手段で再生することができて、歌詞や画像を表示手段に表示することができる。すなわち携帯通信端末でダウンロードしたデータを赤外線でコンテンツ再生装置に転送し、コンテンツ再生装置にてカラオケ再生が行える。赤外線でのデータ転送を行うデータ送信手段は、端末同士のデータ交換を行うために携帯通信端末の備える赤外線装置を使用する。またデータ受信手段は、テレビ、カーナビなどの備える赤外線リモコン受光部を使用する。したがって機器のハードウェア構成に大幅な変更を伴わず、その動作のほとんどを内蔵されている制御マイコンのソフトウェアで実現できる。また、携帯電話契約者は、新たに契約を結ぶことなくデジタルテレビでカラオケを楽しむことができるようになる。
第２の発明は、データ通信可能な携帯通信端末と、楽曲や音声、文字や画像からなるコンテンツデータを再生可能なコンテンツ再生装置とから構築されるコンテンツ再生システムであって、
携帯通信端末は
ユーザーがコンテンツを指定する操作手段と、
指定されたコンテンツに対応するひとつまたは複数のコンテンツデータをダウンロードする通信手段と、
ダウンロードしたコンテンツデータを赤外線にて出力するデータ送信手段とを備え、
コンテンツ再生装置は
前記携帯通信端末から赤外線にてコンテンツデータを入力するデータ受信手段と、
楽曲や音声を再生する再生手段と、
文字や画像を表示する表示手段と、
入力したコンテンツデータを解析しコンテンツデータに含まれるおよび／またはコンテンツデータを元に生成される、楽曲や音声を再生手段にて再生するおよび／または文字や画像を前記表示手段に表示する手段と、
を備えたことを特徴とするコンテンツ再生システムである。
【００１３】
上記第２の発明によれば、カラオケに限定せず、操作手段を所定の手順で操作することにより、１つあるいは複数のデータからなるコンテンツを携帯通信端末でダウンロードし、赤外線でコンテンツ再生装置に転送し、コンテンツ再生装置でコンテンツ種別を識別し、ソフトウェアで機器を制御してコンテンツを再生することが出来る。
第３の発明は、第１または第２の発明に加え、
コンテンツ再生装置は、さらに内部メモリあるいは着脱可能な外部メモリによるストレージ手段を備え、入力したコンテンツデータを保持できることを特徴とするコンテンツ再生システムである。
【００１４】
上記第３の発明によれば、ダウンロードした時点に限らず、その後何度でもコンテンツ再生を楽しむことが出来る。一度ダウンロードしたデータに対する差分データをダウンロードすることで、既に保有するデータをもとにアップグレードしたデータでコンテンツ再生を楽しむことが出来る。あるいは保存されているデータ同士の組み合わせを変更し、新たな楽しみかたでコンテンツを再生できる。一度ダウンロードしたデータの利用を利用できることで、ユーザーはコンテンツ再生にまつわる費用／時間を削減できる。
第４の発明は、第１から第３の発明に加え、
携帯通信端末、コンテンツ再生装置は、さらにデータ送信手段、データ受信手段の代わりに、コンテンツデータおよび／または制御データを赤外線にて送受信する赤外線通信手段を備え、携帯通信端末とコンテンツ再生装置が相互にデータおよび／または制御情報の交換を行えるコンテンツ再生システムである。
【００１５】
上記第４の発明によれば、たとえばデジタル機器のリモコンも活用し、データのダウンロードを行い、携帯通信端末を経由してデータを受け、再生することが出来る。
第５の発明は、第１から第４の発明に加え、
携帯通信端末は、さらに内部メモリあるいは着脱可能な外部メモリによる端末内ストレージ手段を備え、ダウンロードしたコンテンツデータまたは赤外線通信手段を経由しコンテンツ再生装置から入力したコンテンツデータを保持できることを特徴とするコンテンツ再生システムである。
【００１６】
上記第５の発明によれば、携帯通信端末にて一度ダウンロードしたデータを保持することで、複数のコンテンツ再生装置に転送し、再生が可能となる。また、コンテンツ再生装置に保存したデータを携帯通信端末に読み込み、別のコンテンツ再生装置へ転送し再生することが出来る。
第６の発明は、第１から第５の発明に加え、
携帯通信端末は
楽曲や音声を再生する携帯端末再生手段と、
文字や画像を表示する携帯端末表示手段と、
ダウンロードしたコンテンツデータまたは赤外線通信手段を経由しコンテンツ再生装置から入力したコンテンツデータまたは端末内ストレージ手段にて保持するコンテンツデータを解析し、コンテンツデータに含まれるおよび／またはコンテンツデータを元に生成される、楽曲や音声を携帯端末再生手段にて再生するおよび／または文字や画像を携帯端末表示手段に表示する手段と、
をさらに備えたことを特徴とするコンテンツ再生システムである。
【００１７】
上記第６の発明によれば、携帯通信端末でのコンテンツデータの簡易再生、携帯通信端末とコンテンツ再生装置との間での同期再生が可能となる。さらには、デジタルテレビで映像と楽曲を再生し携帯電話に歌詞を表示するといったように、携帯通信端末とコンテンツ再生装置と分担してコンテンツを再生することが出来る。
【００１８】
【発明の実施の形態】
以下、図１から図６を参照して、本発明の実施の形態について説明する。
【００１９】
（第１の実施形態）
図１は、本発明の第１の実施形態に係るコンテンツ再生システムの構成を示す図である。コンテンツ再生システムを構成する携帯通信端末、コンテンツ再生装置の機能ブロックについてもあわせて示している。
【００２０】
図１において、１００は携帯通信端末、２００はコンテンツ再生装置、３００は電話網、４００はインターネット接続プロバイダ、５００はインターネット、６００はデータベース、７００はコンテンツサービスプロバイダ、１１は操作手段、１２は通信手段、１３は通信端末表示手段、１４はデータ送信手段、２１はデータ受信手段、２２は制御手段、２３は楽曲再生手段、２４は再生装置表示手段である。
【００２１】
操作手段１１は、ボタン、キーなどで構成され、ユーザーが、インターネットへの接続確認や希望するコンテンツの選択指示等を行うための手段であり、本実施形態ではテンキー（０から９までの数字を入力するボタン）を想定している。入力された情報は通信手段１２に伝えられる。後述する通信端末表示手段１３上にＧＵＩ（Ｇｒａｐｈｉｃａｌ  Ｕｓｅｒ  Ｉｎｔｅｒｆａｃｅ）を表示し、ポインティングデバイスにて操作手段を構成しても良いし、音声認識による音声入力操作や画像認識による映像入力操作等でも良い。
【００２２】
通信手段１２は、モデムやルーター、無線機などで構成され、有線または無線を経由してコンテンツサービスプロバイダ等より、コンテンツ（文章、音声、楽曲、静止画、動画、または、それらの複合形で表現される情報）を取得するための手段である。また、通信中の状態やユーザーの意思確認のための表示内容を通信端末表示手段１３に出力する。また、取得したコンテンツデータをコンテンツ再生装置２００に転送するため、データ送信手段１４に出力する。本実施形態では、情報の発信元をコンテンツサービスプロバイダ６００とする。ＷＷＷサーバのクライアントソフトを搭載し、コンテンツサービスプロバイダ６００のＷＷＷサーバにアクセスするものとする。
【００２３】
通信端末表示手段１３は、液晶ディスプレイやＥＬ（Ｅｌｅｃｔｒｏ  ｌｕｍｉｎｅｓｃｅｎｃｅ）ディスプレイなどで構成され、通信状態の表示やコンテンツ選択時のリスト表示などを行うための手段である。
【００２４】
データ送信手段１４およびデータ受信手段２１は、赤外線発光モジュールおよび赤外線受光モジュール等で構成され、携帯通信端末１００とコンテンツ再生装置２００の間で赤外線にてコンテンツデータの転送を行う手段である（通信用赤外線受光・発光モジュールの機能および赤外線通信技術は一般的なのでここでは省略する）。
【００２５】
制御手段２２は、マイコンなどで構成され、データの解析および再生・表示の制御をおこなう手段である。コンテンツデータを解析し、楽曲データや音声データを楽曲再生手段２３に渡し、画像データや文字データを再生装置表示手段２４に渡し、楽曲再生手段２３および再生装置表示手段２４に再生・表示の指示を行う。カラオケの曲の進行に合わせた歌詞文字表示や、複数のデータからなるコンテンツなどで、同期が必要な場合は、同期のタイミングも含めて再生手段２３および再生装置表示手段２４に再生・表示の指示を行う。
【００２６】
楽曲再生手段２３は、スピーカーあるいはイヤホンおよび音源ＬＳＩ等により構成され、コンテンツに含まれる音声データや楽曲データを音響信号としてスピーカーあるいはイヤホン等に出力する手段である。複数のデータを同時に再生する場合にはスピーカーに出力する前段でミキシングするなどしても良い。
【００２７】
再生装置表示手段２４は、液晶ディスプレイやブラウン管および表示制御用回路等で構成され、画像データや文字データを表示する手段である。複数の画像や文字の情報を表示する場合には重ねあわせやウィンドウ表示するなどしても良い。文字情報がディスプレイに表示仕切れない場合は、スクロール、オーバラップ（折り返し表示）などで解決しても良い。
【００２８】
図２は、図１に係る通信カラオケサービスにおける携帯通信端末１００およびコンテンツ再生装置２００の操作手順を説明する図である。
【００２９】
まず、最初に、図１、図２を併用して、携帯通信端末１００およびコンテンツ再生装置２００で構成されるコンテンツ再生システムの動作について説明する。
【００３０】
携帯通信端末１００およびコンテンツ再生装置２００の電源投入後、待機状態となる。図２に示すように、メニューとして”０）リスト取得”と通信端末表示手段１３に表示される。操作手段１１（テンキー）により「０」が指定されると、コンテンツサービスプロバイダ６００への接続を開始する。電話網３００へのダイヤルアップで、インターネット接続プロバイダ４００を介して、インターネット５００に接続する。携帯通信端末１００は、さらにインターネット５００を介しコンテンツサービスプロバイダ６００に接続し、コンテンツサービスプロバイダ６００のデータベース７００にアクセスし、コンテンツのリストを取得する。コンテンツサービスプロバイダ６００にはＷＷＷサーバが稼働しており、通信手段１２ではＷＷＷクライアントが稼働しているので、所定の手順で交信することにより、ファイル情報の交信が可能である（インターネット接続サービスプロバイダへの接続およびＷＷＷによるファイル取得は、一般的な技術なのでここではその手順、技術内容の詳細を省略する）。この結果が、携帯端末表示手段１３に表示される。図２は、コンテンツのリストとして”カラオケ  ０）曲目Ａ、１）曲目Ｂ、２）曲目Ｃ”と表示され、カラオケのコンテンツが取得可能であることがユーザーに通知される例である。ここで、曲目Ａ〜Ｄは説明のため記号化しているが、実際には、「らいおんハート」、「ＬＯＶＥマシーン」のようにコンテンツ名（カラオケ楽曲名）が表示される。
【００３１】
ここで、ユーザーが曲目Ｂを選択するために操作手段１１により「１」を指定すると、携帯通信端末１００は曲目Ｂのカラオケ楽曲データを取得する。通信手段１２によりコンテンツサービスプロバイダ６００のデータベース７００から取得し、データ送信手段１４を経由して、赤外線にてコンテンツ再生装置２００へ転送する（赤外線によるデータ通信やファイル転送は、一般的な技術なのでここではその手順、技術内容の詳細を省略する）。このとき、通信端末表示手段１３には”転送中”などと表示してもよい。また、例えば曲目Ｂのカラオケ楽曲データが複数のファイルで構成されているような場合には、複数回にわたり転送操作を繰り返す。
【００３２】
一方、コンテンツ再生装置２００の制御手段２２は赤外線受信手段２１から入力されるデータを解析し、コンテンツ再生装置２００で再生可能なデータ形式であった場合、音声データや楽曲データは楽曲再生手段２３へ、画像データや文字データは再生装置表示手段２４に振り分ける。データを受けた楽曲再生手段２３や再生装置表示手段２４は入力したデータの再生および表示を行う。同期再生が必要な場合には制御手段２２からの再生開始指示を待ち、再生を行う。
【００３３】
図２の例ではカラオケ楽曲データが選択されている。カラオケ楽曲データには、楽曲のタイトル、作詞者名、作曲者名、編曲者名、歌詞の歌いだし、総演奏時間、楽曲データ（＝一般にＭＩＤＩと呼ばれる楽曲データまたはＭＩＤＩと同様に楽曲表現されたデータ）、歌詞データ、歌詞の表示制御データ（＝文字数、色変りタイミング、行切り替え、ページ切り替え、色指定などの情報を含むデータ）、楽曲データの一部または全部をユーザーへ注意を促すための通知メロディとして設定する際やＡ−Ｂ点のリピート設定などを行うための演奏マーカデータ、演奏を補助する為の画像データおよび背景画像データなどが含まれている。楽曲データが楽曲再生手段２３に、楽曲のタイトル、作詞者名、作曲者名、編曲者名、歌詞データ、画像データおよび背景画像データが再生装置表示手段２４に出力される。カラオケでは音楽の進行に合わせて背景画像や歌詞の色変わりを行う。制御手段２２は、楽曲再生手段２３と再生装置表示手段２４へ再生開始の指示を行うと共に再生時刻管理を行い、表示制御データを元に歌詞の色変わり指示を再生装置表示手段に対して行う。
【００３４】
また、通信手段１２はデータ転送しながら一方でデータを解析し、例えばカラオケ楽曲データの場合には、楽曲のタイトル、歌詞、その他の付加情報などを、図２に示すように通信端末表示手段１３に表示しても良い。その他の付加情報としては歌手のコンサート情報やＣＤの発売日情報などが考えられる。曲に固有でないなどの理由でカラオケ楽曲データに含んで配信されない付加情報についても、コンテンツサービスプロバイダ６００はカラオケ楽曲データ送出後に別ファイルとして付加情報を送出し、これを受けた携帯電話は図２に示すように曲固有の情報と共に表示してもよい。文字をディスプレイに表示仕切れない場合は、スクロール、オーバラップ（折り返し表示）などが自動的に行われる。また表示する行数や１行あたりの文字数も設定できる。もちろん付加情報をコンテンツ再生装置２００の再生装置表示手段２４にて表示してもよい。
【００３５】
演奏中、特にカラオケの場合には、テンキー（操作手段１１）の「１」「３」にキーコントロール、「４」「６」にテンポコントロール、「５」にはポーズ、「２」「８」には音量設定、「７」にはＡ−Ｂリピート、「９」には演奏中止、が割り当てられる。押されたキーの情報は通信手段１２を介し、データ送信手段１４およびデータ受信手段２１を経由して制御手段２２で認識され、実際の音響制御が楽曲再生手段２３にて行われる。
【００３６】
これらのボタンでの操作について、以下に概略を説明する。
【００３７】
演奏中に「１」を押すと、１ステップ（通常は半音）単位で演奏の音程が下がり、「３」を押すと、１ステップ単位で演奏の音程が上がる。
【００３８】
同様に、演奏中に「４」を押すと、１ステップ（通常は数％）単位で演奏の速度が下がり、「６」を押すと、１ステップ単位で演奏の速度が上がる。
【００３９】
また、演奏中に、「５」ボタンを押すと、演奏は一旦ポーズされる。ポーズを解除するには、もう一度「５」ボタンを押す。
【００４０】
演奏中に「２」を押すと、１ステップ（通常は数％）単位で音量が上がり、「８」を押すと、１ステップ単位で音量が下がる
また、演奏中に「７」ボタンを押すと、Ａ−Ｂリピートの開始点が設定され、次に「７」ボタンを押すと、一回目にボタンを押してから２回目にボタンを押すまでの区間の演奏を、繰り返す、いわゆるＡ−Ｂリピート再生になる。この状態で再度「７」ボタンを押すと、Ａ−Ｂリピートは解除される。
【００４１】
機器からユーザーに対し注意を促す場合などに音楽を鳴らすことは一般の家電機器で行われている。この通知メロディをカラオケ楽曲の一部にて変更したい場合には、Ａ−Ｂリピート再生中に、「０」を押すと、Ａ−Ｂリピート演奏している区間が、通知メロディとして設定される。
【００４２】
演奏を中止する場合は「９」ボタンを押す。このように、テンキー等のひとつまたは複数のボタン等の操作手段を、カラオケの操作に割り当てることにより、演奏機能を拡張することが可能になる。
【００４３】
カラオケコンテンツ以外では、例えば画像や文章のコンテンツがある。画像や文字サイズの拡大、縮小および、画面からはみ出す部分の画像や文章のスクロールなどに制御手段１１のキーを割り当てるなどしても良い。さらに、そのキー操作手順を携帯端末表示手段１３に示すなどしても良い。
【００４４】
以上、本発明第１の実施携帯に係るのコンテンツ再生システムについて詳細に説明してきたが、コンテンツサービスプロバイダへの通信機能を有する携帯通信端末１００から、コンテンツ再生機能を備えるがコンテンツサービスプロバイダへの通信機能を有しないコンテンツ再生装置２００に対して赤外線にてコンテンツを転送することで、コンテンツ再生装置２００で例えば最新のカラオケ楽曲をネットワークから取得し再生することと可能とした。
【００４５】
コンテンツ再生装置２００としては赤外線リモコンの受光部を備える装置を適用することが考えられる。デジタルテレビはチャンネルを選択する赤外線リモコンの受光部があり、また様々なコンテンツを再生する機能をすでに備えているため、本発明のコンテンツ再生装置を適用する障壁も非常に小さいと考えられる。また、カーナビ端末も既にリモコン操作手段・再生手段・再生装置表示手段を備えるものがあるという点で、コンテンツ再生装置の候補として考えられる。すなわち、操作入力を赤外線リモコンで行い、地図や経路表示のためのディスプレイを備え、案内の際に音楽を再生するための音源を搭載する製品も多い。
【００４６】
また、デジタルテレビやカーナビ端末に対しコンテンツを転送する携帯通信端末１００としては赤外線通信機能を有する携帯電話がふさわしい。最近の携帯電話は、単体でコンテンツを楽しめる機能を有するが、画面や音も小さくカラオケや写真画像などを大きな画面や音量で楽しみたいと思うことがある。
【００４７】
つまり、コンテンツプロバイダから、携帯電話を経由し、赤外線にてデジタルテレビやカーナビにコンテンツを転送する。また、携帯電話のダイヤルボタンはテンキーの機能を備えているため、カラオケ操作の演奏機能の拡張が前述のとおり利用できる。さらに、携帯電話では利用に際して基本契約が必要であり契約時に個人情報を登録している。なお、基本料金および通話料金支払いの際にコンテンツの利用料金を合わせて支払える仕組みが一般的に確立されている。つまり新たなコンテンツサービスプロバイダとの契約やコンテンツ購入の際にも基本契約時の情報を利用するため、個人情報やクレジットカード番号の入力の必要がない。したがってデジタルテレビ用に新たにコンテンツ契約を結び別途コンテンツ契約を結び携帯電話での契約と二重に基本料金を支払うといった事をせずカラオケを楽しむことができる。
【００４８】
なお、本発明の第１の実施形態では、携帯通信端末１００に携帯端末表示手段１３にて操作を補助する表示を行っているが、その表示内容を通信手段１２が赤外線にてコンテンツ再生装置２００に指示し、再生装置表示手段２４にて表示することで、携帯端末表示手段１３を省略することも可能である。
（第２の実施形態）
本発明の第２の実施形態では、説明をより具体化させるために、携帯通信端末１００として携帯電話を、コンテンツ再生装置２００としてデジタルテレビを想定する。図３は、本発明の第２の実施形態に係るコンテンツ再生システムの構成を示す図である。
【００４９】
図３において、１００は携帯通信端末（携帯電話）、２００はコンテンツ再生装置（デジタルテレビ）、３００は電話網、４００はインターネット接続プロバイダ、５００はインターネット、６００はデータベース、７００はコンテンツサービスプロバイダである。また、１０１は携帯電話機能ボタン、１０２は携帯電話ダイヤルボタン、１０３は携帯電話ディスプレイ、１０４は携帯電話スピーカー、１０５は携帯電話マイク、１１８は携帯電話赤外線インタフェイス、２０３はＴＶディスプレイ、２０４はＴＶスピーカー、２１８はＴＶ赤外線インタフェイス、２１９はＴＶ電源である。
【００５０】
携帯電話機能ボタン１０１および携帯電話ダイヤルボタン１０２は本発明の第１の実施形態における操作手段１１のユーザーインタフェイスに、携帯電話ディスプレイ１０３は通信端末表示手段１３のユーザーインタフェイスに相当する。また、ＴＶスピーカー２０４は楽曲再生手段２３で音響信号を出力するスピーカーに、ＴＶディスプレイ２０３は再生装置表示手段２４のユーザーインタフェイスに相当する。携帯電話赤外線インタフェイス１１８はデータ送信手段１４に、ＴＶ赤外線インタフェイス２１８はデータ受信手段２１に対応するが、第２の実施形態では、共に受発光機能を備え、双方向の赤外線通信を可能とする。
【００５１】
図４は、本発明の第２の実施形態に係る携帯通信端末（携帯電話）の構成を示すブロック図である。
【００５２】
図４に示すように携帯通信端末（携帯電話）１００において、１０１は携帯電話機能ボタン、１０２は携帯電話ダイヤルボタン、１０３は携帯電話ディスプレイ、１０４は携帯電話スピーカ、１０５は携帯電話マイク、１０６は携帯電話ディスプレイインタフェイス、１０７は携帯電話ボタンインタフェイス、１０８は携帯電話音声出力インタフェイス、１０９は携帯電話ＭＩＤＩシンセサイザ、１１０は携帯電話プログラムメモリ、１１１は携帯電話通信インタフェイス、１１２は携帯電話アンテナ、１１３は携帯電話音声入力インタフェイス、１１４は携帯電話ＲＡＭ、１１５は携帯電話マイコン、１１６は携帯電話外部メモリ、１１７は携帯電話外部メモリインタフェイス、１１８は携帯電話赤外線インタフェイスである。
【００５３】
図５は、本発明の第２の実施形態に係るコンテンツ再生システム（デジタルテレビ）の構成を示すブロック図である。
【００５４】
図５に示すようにコンテンツ再生システム（デジタルテレビ）２００およびそのリモコン８００において、２０３はＴＶディスプレイ、２０４はＴＶスピーカ、２０５はＴＶマイク、２０６はＴＶディスプレイインタフェイス、２０８はＴＶ音声出力インタフェイス、２０９はＴＶ  ＭＩＤＩシンセサイザ、２１０はＴＶプログラムメモリ、２１３はＴＶ音声入力インタフェイス、２１４はＴＶ  ＲＡＭ、２１５はＴＶマイコン、２１６はＴＶ外部メモリ、２１７はＴＶ外部メモリインタフェイス、２１８はＴＶ赤外線インタフェイス、８０１はリモコン機能ボタン、８０２はリモコンチャンネル選択ボタン、８１８はリモコン赤外線インタフェイスである。
【００５５】
図６は、図３に係るコンテンツ再生システムにおける携帯通信端末（携帯電話）１００の操作手順を説明する図である。
【００５６】
まず、最初に、図３、図６を用いて、携帯通信端末（携帯電話）１００およびコンテンツ再生システム（デジタルテレビ）２００で構成されるコンテンツ再生システムの動作の概略について説明する。
【００５７】
携帯電話１００は、有線または無線の電話機能を有している。この携帯電話１００は機能ボタン１０１と携帯電話ダイヤルボタン１０２の操作手段を備えており、通常は携帯電話ダイヤルボタン１０２で通話先を設定し、携帯電話機能ボタン１０１を使用して回線の接続を行い、電話として使用される。この動作は、通常の電話と同様であり、ここでは詳細を省略する。
【００５８】
この携帯電話１００は、文字、画像を表示する表示手段を備えておりその表示は携帯電話ディスプレイ１０３で行われる、また楽曲を再生する手段も備えておりその音響出力は携帯電話スピーカー１０４で行われる。
（１）「ダウンロードおよび再生の手順」
携帯電話１００で所望のコンテンツデータを指定してダウンロードする手順および、デジタルテレビ２００上で再生する手順を図３と図６（ａ）を併用して以下説明する。
【００５９】
まず、携帯電話１００の待ち受け状態で、携帯電話機能ボタン１０１の「Ｆ」を押すと、メニューとして”０）ダウンロード、１）再生、２）データ読出、３）、データ転送”、が携帯電話ディスプレイ１０３に表示される。
【００６０】
この状態で、携帯電話ダイヤルボタン１０２の「０」を押すと、携帯電話１００は電話網３００を介して、インターネット接続プロバイダ４００に接続を行う（インターネット接続プロバイダ４００への接続機能および手順は一般的なのでここでは省略する）。この時、携帯電話ディスプレイ１０３には”センター接続”と表示してもよい。
【００６１】
インターネット５００に接続された携帯電話１００は、さらにインターネット上に設置されたコンテンツサービスプロバイダ６００のデータベース７００にアクセスし、検索メニューを取得する。この結果が携帯電話ディスプレイ１０３に表示される。図６（ａ）の例では”カラオケ  ０）新曲選択、１）曲名選択、２）歌手名選択”と表示している。カラオケのコンテンツが取得可能であることがわかる。
【００６２】
ここで「０」を押せば、カラオケコンテンツのうち最近の新曲リストからの検索、「１」を押せば曲名リストからの検索、「２」を押せば歌手名リストからの検索が可能になる。図６（ａ）では一例として「０」を押した場合を説明している。
【００６３】
「０」を押すと、携帯電話１００は、新曲のリストをコンテンツサービスプロバイダ６００のデータベース７００から取得する。図６（ａ）では省略しているが、この間、”センターからデータ取得中”などのメッセージを出してもよい。この結果、図６（ａ）の例では”０）曲名Ａ、１）曲名Ｂ、２）曲名Ｃ、３）曲名Ｄ”と表示される。
【００６４】
ここで、曲目Ａ〜Ｄは説明のため記号化しているが、実際には、「らいおんハート」、「ＬＯＶＥマシーン」のように曲名が表示される。
【００６５】
ここで、曲目Ｂを選択するために「１」を押すと、携帯電話１００は、曲目Ｂのカラオケ楽曲データをコンテンツサービスプロバイダ６００のデータベース７００から取得しメモリに保存する。保存するメモリは、内部メモリ（携帯電話ＲＡＭ１１４）であってもよいし外部メモリ（携帯電話外部メモリ１１６）であってもよく、フラッシュメモリ、ＲＡＭ、マイクロディスクのようなメカニカルなメモリであってもよい。
【００６６】
カラオケ楽曲データには、楽曲のタイトル、作詞者名、作曲者名、編曲者名、歌詞の歌いだし、総演奏時間、楽曲データ（＝一般にＭＩＤＩと呼ばれる楽曲データまたはＭＩＤＩと同様に楽曲表現されたデータ）、歌詞データ、歌詞の表示制御データ（＝文字数、色変りタイミング、行切り替え、ページ切り替え、色指定などの情報を含むデータ）、楽曲データの一部または全部を着信メロディ等として設定する際やＡ−Ｂ点のリピート設定などを行うための演奏マーカデータ、演奏を補助する為の画像データおよび背景画像データなどが含まれている。
【００６７】
コンテンツサービスプロバイダ６００は指定されたデータのダウンロード実績をログとして管理すると同時に、接続された端末を電話番号やサービス加入のＩＤなど一般的な手法により特定し、有料サービスの場合には、課金システムを稼働して費用徴収の事務手続を可能にする。
【００６８】
図６（ａ）では省略しているが、カラオケ楽曲データをコンテンツサービスプロバイダ６００のデータベース７００から取得する間、”センターからデータ取得中”などのメッセージを出してもよい。あるいはカラオケ楽曲データの場合には、楽曲のタイトル、歌手名、その他の付加情報などを、図６（ａ）に示すように通信端末表示手段１３にて表示しても良い。その他の付加情報としては歌手のコンサート情報やＣＤの発売日情報などが考えられる。コンテンツサービスプロバイダ６００は曲リスト送出時に付加情報を併せて送出し、これを受けた携帯電話１００は携帯電話ディスプレイ１０３で表示すればよい。文字をディスプレイに表示仕切れない場合は、スクロール、オーバラップ（折り返し表示）などが自動的に行われる。また表示する行数や１行あたりの文字数も設定できる。
【００６９】
カラオケ楽曲データの取得を完了すると、携帯電話ディスプレイ１０３には、”曲目Ｂを０）転送後再生、１）転送後保存、２）メニューへ”と表示される。ここで「０」を押せばデジタルテレビ２００へコンテンツを転送後すぐに再生が始まり、「１」を押せばコンテンツのデジタルテレビ２００への転送され保存される。「２」を押せば、初期メニュー画面へ遷移するが、ここまでの流れの中でコンテンツは携帯電話１００に保存されていることになり、結果としてコンテンツの携帯電話１００へのダウンロードを行ったことに相当する。
【００７０】
ここで、携帯電話１００の携帯電話赤外線インタフェイス１１８をデジタルテレビ２００のＴＶ赤外線インタフェイス２１８に向け、携帯電話ダイヤルボタン１０２の「０」を押すと、赤外線にて携帯電話１００からデジタルテレビ２００へのカラオケ楽曲データ転送が開始される。この間、図６（ａ）のように、携帯電話ディスプレイ１０３に指定された動作と現在の状態として”（転送後再生）転送中”などと表示しても良い。ボタンが押された場合に、携帯電話とデジタルテレビの距離が離れているなどの理由ですぐに通信できない、あるいは通信が中断することも考えられるが、この場合携帯電話ディスプレイ１０３に”転送待機中”などと表示し、通信が可能になるまで待ち、可能になると同時に転送を再開するなどしても良い。
【００７１】
一方、デジタルテレビ２００はＴＶ赤外線インタフェイス２１８から入力されるデータをメモリに保存する。また、データ受信時にデータ種別の識別子（拡張子やヘッダーなど）を解析し、デジタルテレビ２００にて再生可能なコンテンツであった場合、保存が完了すると再生を開始する。ストリーミング対応形式のデータの場合は保存しながら再生を開始すればよい。保存するメモリは、内部メモリ（ＴＶ  ＲＡＭ２１４）であってもよいし外部メモリ（ＴＶ外部メモリ２１６）であってもよく、フラッシュメモリ、ＲＡＭ、マイクロディスクのようなメカニカルなメモリであってもよい。
【００７２】
データ転送が完了すると、携帯電話ディスプレイ１０３に、転送完了のメッセージ、あるいは、曲目や歌手名、歌詞、およびその他の付加情報を表示してもよい。曲に固有でないなどの理由でカラオケ楽曲データに含んで配信されない付加情報についても、コンテンツサービスプロバイダ６００はカラオケ楽曲データ送出時に別ファイルとして付加情報を送出し、これを受けた携帯電話は図６（ａ）に示すように曲固有の情報と共に表示してもよい。文字をディスプレイに表示仕切れない場合は、スクロール、オーバラップ（折り返し表示）などが自動的に行われる。また表示する行数や１行あたりの文字数も設定できる。
【００７３】
カラオケ再生中、カラオケ楽曲は歌詞文字が複数行ＴＶディスプレイ２０３に表示される。歌詞文字がディスプレイの表示仕切れない場合は、スクロール、オーバラップ（折り返し表示）などが自動的に行われる。また表示する行数や１行あたりの文字数も設定できる。
【００７４】
再生中、携帯電話ダイヤルボタン１０２の「１」「２」「３」にはキーコントロール、「４」「５」「６」にはテンポコントロール、「７」「８」「９」にはガイドメロディのボリューム、携帯電話機能ボタン１０１の「Ｆ」には音量設定、「左」「右」にはＡ−Ｂリピート、「受」にはポーズ、「切」には演奏中止、が割り当てられる。ボタンが押された場合、携帯電話１００からデジタルテレビ２００へ赤外線通信にてその内容が伝えられ、デジタルテレビ２００はＴＶマイコンにて楽曲の再生制御や表示制御を行う。
【００７５】
これらのボタンでの操作について、以下に概略を説明する。
【００７６】
再生中に「１」を押すと、１ステップ（通常は半音）単位で演奏の音程が下がり、「３」を押すと、１ステップ単位で演奏の音程が上がる。「２」を押すと、「１」「３」の操作によるキーコントロールが解除され、カラオケ楽曲データ本来の演奏音程となる。
【００７７】
同様に、演奏中に「４」を押すと、１ステップ（通常は数％）単位で演奏の速度が下がり、「６」を押すと、１ステップ単位で演奏の速度が上がる、「５」を押すと、「４」「６」の操作によるテンポコントロールが解除され、カラオケ楽曲データ本来の演奏速度となる。
【００７８】
同様に、演奏中に「７」を押すと、１ステップ（通常は数ｄＢ）単位でガイドメロディのボリュームが下がり、「９」を押すと、１ステップ単位でガイドメロディのボリュームが上がる、「８」を押すと、「７」「９」の操作によるガイドメロディのボリュームコントロールが解除され、カラオケ楽曲データ本来のガイドメロディのボリュームとなる。
【００７９】
また、演奏中に、機能ボタン「Ｆ」を押すことにより、音量を、無音−＞小−＞中−＞大−＞無音、と循環的に設定できる。
【００８０】
また、演奏中に「左」ボタンを押すと、Ａ−Ｂリピートの開始点が設定され、次に「右」ボタンを押すと、「左」ボタンを押してから「右ボタン」を押すまでの区間の演奏を、繰り返す、いわゆるＡ−Ｂリピート再生になる。この状態で再度「左」ボタンを押すと、Ａ−Ｂリピートは解除される。
【００８１】
Ａ−Ｂリピート再生中に、「０」を押すと、Ａ−Ｂリピート演奏している区間が、着信メロディとして設定される。
【００８２】
また、演奏中に、「受」ボタンを押すと、演奏は一旦ポーズされる。ポーズを解除するには、もう一度「受」ボタンを押す。
【００８３】
演奏を中止する場合は「切」ボタンを押す。このように、電話装置の、ひとつまたは複数のボタン、ダイアル等の操作手段を、カラオケの操作に割り当てることにより、本来の電話機能をコストアップなしに拡張することが可能になる。
【００８４】
また、本実施形態の説明における携帯電話１００のボタンとリモコン８００のボタンの対応を適切に行うことで、リモコン８００でも同様の操作が行える。具体的には携帯電話機能ボタン１００に対しリモコン機能ボタン２０１を、携帯電話ダイヤルボタン１０２に対しリモコンチャンネルボタン８０２を対応付けることで上記の操作をリモコン８００にて行うことが可能となる。携帯電話１０１での操作中の画面表示をＴＶディスプレイ２０３にて行っても良い。コンテンツサービスプロバイダ６００へのアクセスが必要な場合、デジタルテレビ２００から携帯電話１００を赤外線にて制御する。
（２）「デジタルテレビに保存した曲の演奏手順」
すでに、「ダウンロードおよび再生の手順」で説明したように、コンテンツデータのダウンロード直後に再生することも可能であるが、ここでは、一旦保存しておいたカラオケ楽曲データを再生する一例を説明する。
【００８５】
まず、携帯電話１００の待ち受け状態で、携帯電話機能ボタン１０１の「Ｆ」を押すと、メニューとして”０）ダウンロード、１）再生、２）データ読出、３）データ転送”、が携帯電話ディスプレイ１０３に表示される。「ダウンロードおよび再生の手順」で述べたとおり、操作および表示はリモコン８００や携帯電話１００のボタンとテレビディスプレイ２０３や携帯電話ディスプレイ１０３のいずれの組み合わせにて行ってもよいが、以降携帯電話１００で表示・操作を行うこととし説明を簡略化する。
【００８６】
この状態で、携帯電話ダイヤルボタン１０２の「１」を押すと、携帯電話１００はデジタルテレビ２００のメモリに保存しているコンテンツのリストを赤外線にて取得し、携帯電話ディスプレイ１０３に表示する。リスト取得中、携帯電話ディスプレイ１０３に”交信中”などと表示しても良い。ここで、保存先のメモリについては「ダウンロードおよび再生の手順」で述べたとおり、いくつかのバリエーションが考えられるが、ここでは、説明を簡単にするため、単にメモりとして説明する。
【００８７】
この結果、携帯電話ディスプレイ１０３には、図６（ｂ）の例では”０）カラオケ  曲目Ｂ、１）カラオケ  曲目Ｐ、２）画像Ｓ”と表示される。携帯電話ディスプレイ１０３に表示しきれない場合、スクロールなどの手順が示される（このような表示手法は一般的なので説明を省略する）。ここで「０」を押せば、赤外線にて携帯電話１００からデジタルテレビ２００にコンテンツ指定の情報が送られ、デジタルテレビ２００は曲目Ｂの再生を開始する。携帯電話ディスプレイ１０３に、”再生中”などと表示する、あるいは、曲目や歌手名、歌詞、およびその他の付加情報を表示してもよい。
（３）「デジタルテレビから他の機器への転送手順」
一旦デジタルテレビに保存したコンテンツデータを携帯電話のメモリに読み出し、他の機器へ転送する手順の一例を説明する。
【００８８】
まず、携帯電話１００の待ち受け状態で、携帯電話機能ボタン１０１の「Ｆ」を押すと、メニューとして”０）ダウンロード、１）再生、２）データ読出、３）データ転送”、が携帯電話ディスプレイ１０３に表示される。
【００８９】
この状態で、携帯電話ダイヤルボタン１０２の「２」を押すと、携帯電話１００はデジタルテレビ２００のメモリに保存しているコンテンツのリストを赤外線にて取得し、携帯電話ディスプレイ１０３に表示する。リスト取得中、携帯電話ディスプレイ１０３に”交信中”などと表示しても良い。この結果、携帯電話ディスプレイ１０３には、図６（ｃ）の例では”０）カラオケ  曲目Ｂ、１）カラオケ  曲目Ｐ、２）画像Ｓ”と表示される。ここで「０」を押せば、赤外線にて携帯電話１００からデジタルテレビ２００にコンテンツ指定の情報が送られ、デジタルテレビ２００は携帯電話１００に対し曲目Ｂのカラオケ楽曲データを赤外線にて送出する。携帯電話１００は送られてきたデータのメモリへの保存を行う。データ受信中、携帯電話ディスプレイ１０３に”受信中”などと表示しても良い。
【００９０】
受信およびメモリへの保存が完了すると携帯電話ディスプレイ１０３のメニュー画面が表示される（待ち受け画面に戻った場合、携帯電話機能ボタン１０１の「Ｆ」を押すことでメニュー画面を表示できる）。メニューとして”０）ダウンロード、１）演奏、２）データ読出、３）データ転送”、が携帯電話ディスプレイ１０３に表示される。
【００９１】
この状態で、携帯電話ダイヤルボタン１０２の「３」を押すと、携帯電話１００はメモリに保存している楽曲のリストを表示する。図６（ｃ）の例では”０）カラオケ  曲目Ｂ、１）画像Ｔ”と表示される。
【００９２】
ここで、携帯電話１００の携帯電話赤外線インタフェイス１１８をその他の機器の赤外線インタフェイスに向け、携帯電話ダイヤルボタン１０２の「０」を押すと、赤外線にて携帯電話１００から機器へカラオケ楽曲データの転送が開始される。以降の流れは「ダウンロードおよび再生の手順」の曲再生手順と同じである。
（機能ブロックを用いた動作説明）
以上、説明した動作について、次に図４と図５を用いて、その内部動作を説明する。既に、図３と図６を用いて、コンテンツサービスプロバイダ６００からのダウンロード手順、演奏手順、着信メロディとしての設定手順については説明したので、以降の説明では、携帯通信端末（携帯電話）１００、コンテンツ再生システム（デジタルテレビ）２００、リモコン８００の内部動作を中心として説明する。
【００９３】
図４に示すように、本発明の携帯通信端末（携帯電話）１００は、携帯電話機能ボタン１０１、携帯電話ダイヤルボタン１０２、携帯電話ディスプレイ１０３、携帯電話スピーカー１０４、携帯電話マイク１０５、携帯電話ディスプレイインタフェイス１０６、携帯電話ボタンインタフェイス１０７、携帯電話音声出力インタフェイス１０８、携帯電話ＭＩＤＩシンセサイザ１０９、携帯電話プログラムメモリ１１０、携帯電話通信インタフェイス１１１、携帯電話アンテナ１１２、携帯電話音声入力インタフェイス１１３、携帯電話ＲＡＭ１１４、携帯電話マイコン１１５、携帯電話外部メモリ１１６、携帯電話外部メモリインタフェイス１１７、携帯電話赤外線インタフェイス１１８である。
【００９４】
携帯電話機能ボタン１０１および携帯電話ダイヤルボタン１０２は携帯電話ボタンインタフェイス１０７と接続され、携帯電話機能ボタン１０１および携帯電話ダイヤルボタン１０２の操作状態は携帯電話ボタンインタフェイス１０７と介して、携帯電話マイコン１１５に伝えられる。通常は、ボタンの操作により割り込み処理等が行われることになるが、このようなボタン入力の処理は機器設計において一般的に用いられる手法であり、ここではその詳細は省略する。
【００９５】
また、図５に示すように、本発明のコンテンツ再生システム（デジタルテレビ）２００は、ＴＶディスプレイ２０３、ＴＶスピーカ２０４、ＴＶマイク２０５、ＴＶディスプレイインタフェイス２０６、ＴＶ音声出力インタフェイス２０８、ＴＶ  ＭＩＤＩシンセサイザ２０９、ＴＶプログラムメモリ２１０、ＴＶ音声入力インタフェイス２１３、ＴＶ  ＲＡＭ２１４、ＴＶマイコン２１５、ＴＶ外部メモリ２１６、ＴＶ外部メモリインタフェイス２１７、ＴＶ赤外線インタフェイス２１８、および図１に示すようにＴＶ電源２１９を備えている。また、リモコン８００はリモコン機能ボタン８０１、リモコンチャンネルボタン８０２、リモコン赤外線インタフェイス８１８を備えている。
【００９６】
リモコン機能ボタン８０１およびリモコンチャンネルボタン８０２はリモコン赤外線インタフェイス８１８およびＴＶ赤外線インタフェイス２１８にて交信し、リモコン機能ボタン８０１およびダイヤルボタン８０２の操作状態は赤外線インタフェイスを介して、ＴＶマイコン２１５に伝えられる。通常は、ボタンの操作により赤外線にて交信し、ＴＶ赤外線インタフェイス２１８からＴＶマイコン２１５に対し割り込み処理等が行われることになるが、このようなリモコンの処理は機器設計において一般的に用いられる手法であり、ここではその詳細は省略する。
【００９７】
携帯電話１００とデジタルテレビ２００はお互いの赤外線インタフェイスにて交信を行いコンテンツデータおよび制御情報を交換する。同様にリモコン８００とデジタルテレビ２００もお互いの赤外線インタフェイスにて交信を行う。携帯電話１００とリモコン８００についてもそれぞれが赤外線インタフェイスを備えているため交信して動作しても良い。
【００９８】
携帯電話１００を、デジタルテレビ２００に対するリモコン８００の代わりとして用いることも可能である。つまり、携帯電話機能ボタン１００に対しリモコン機能ボタン２０１を、携帯電話ダイヤルボタン１０２に対しリモコンチャンネルボタン８０２を対応付けることにした場合、リモコン８００で操作した場合にリモコン赤外線インタフェイス８００から発せられる信号と同じ赤外線信号を携帯電話１００から発すればよい。携帯電話機能ボタン１０１および携帯電話ダイヤルボタン１０２の操作状態は携帯電話ボタンインタフェイス１０７と介して携帯電話マイコン１１５に伝えられ、対応する赤外線信号を送出するよう携帯電話マイコン１１５は携帯電話赤外線インタフェイス１１８を制御する。
【００９９】
ダウンロードを行う際には、既に説明した手順にしたがって操作が行われるが、コンテンツサービスプロバイダとの交信およびデータの取得の際は、携帯電話マイコン１１５が携帯電話通信インタフェイス１１１を制御し、携帯電話通信インタフェイス１１１は携帯電話アンテナ１１２を介して電話網３００との通信を行う。
【０１００】
電話網３００は、ここでは電話網として説明しているが、有線、無線を問わない。電話網３００を介したデータ通信については、これも、一般的なプロトコルと暗号化・圧縮・エラー訂正などが行われるものであり、ここではその詳細は省略する。
【０１０１】
ダウンロードされたコンテンツデータは、携帯電話ＲＡＭ１１４または携帯電話外部メモリインタフェイス１１７を介して携帯電話外部メモリ１１６に保存される。また、既に操作手順を示したように、赤外線通信によりデジタルテレビ２００のＴＶ  ＲＡＭ２１４またはＴＶ外部メモリインタフェイス２１７を介してＴＶ外部メモリ２１６に保存してもよい。外部メモリを用いることにより、本体内蔵メモリの容量に制限されることなく記憶容量を増やすことができ、同時に、外部メモリを用いてコンテンツデータを他の機器で再生させることも可能になる。
【０１０２】
また逆に、他の機器での再生やコピーを禁止する場合には、外部メモリへの書き込みを不許可とするなどの方法や、あるいは、携帯電話１００にＩＤを付け、コンテンツを記憶する際にＩＤを付与し、再生時には、機器に備えられた赤外線インタフェイスを介してＩＤを照合し、付与したＩＤと携帯電話１００のＩＤが一致した場合のみ再生可能とするなどの方法によって、特定の携帯電話１００を所有する場合のみ再生を可能にすることが可能である。
【０１０３】
再生を行う際には、携帯電話ＲＡＭ１１４，ＴＶ  ＲＡＭ２１４、携帯電話外部メモリ１１６またはＴＶ外部メモリ２１６に保存されたコンテンツデータが読み出される。いずれのメモリに保存されているかをユーザーに明示しても、またいずれのメモリに保存されているかを意識させないようにコンテンツのリストを表示しても良い。
【０１０４】
デジタルテレビ２００にてカラオケ再生する場合、カラオケ楽曲データは、ＴＶマイコン２１５によって逐次読み出されて、ＴＶ  ＭＩＤＩシンセサイザ２０９に書き込まれる。ＴＶ  ＭＩＤＩシンセサイザは、楽曲演奏に関する時間管理を行うとともに、ＭＩＤＩデータに記載された各種の演奏情報を解釈し、音響データにリアルタイムに変換して、ＴＶ音声出力インタフェイス２０８に出力する。ＴＶ音声出力インタフェイス２０８は、ＴＶマイク２０５からＴＶ音声入力インタフェイス２１３を介して入力された音声データを必要に応じてＭＩＸしてＴＶスピーカ２０４に出力する。
【０１０５】
また、歌詞データ、歌詞の表示制御データもＴＶマイコン２１５によって逐次読み出されて、ＴＶディスプレイインタフェイス２０６に書き込まれる。ディスプレイインタフェイスは、書き込まれた歌詞データ、歌詞の表示制御データに基づいてＴＶディスプレイ２０３を制御して、カラオケ演奏に合わせて、歌詞のテロップ表示その他カラオケに付随する各種のディスプレイ表示を行う。
【０１０６】
携帯電話１００には、ＴＶマイコン２１５に対応して携帯電話マイコン１１５を、ＴＶ  ＭＩＤＩシンセサイザ２０９に対応して携帯電話ＭＩＤＩシンセサイザ１０９を、ＴＶ音声出力インタフェイス２０８に対応して携帯電話音声出力インタフェイス１０８を、ＴＶマイク２０５に対応して携帯電話マイク１０５を、ＴＶ音声入力インタフェイス２１３に対応して携帯電話音声入力インタフェイス２１３を、ＴＶスピーカ２０４に対応して携帯電話スピーカー１０４を、ＴＶディスプレイインタフェイス２０６に対応して携帯電話ディスプレイインタフェイス１０６を、ＴＶディスプレイ２０３に対応して携帯電話ディスプレイ１０３を備えている。すなわちデジタルテレビ２００同様、携帯電話１００側でもカラオケをはじめとして様々なコンテンツの再生が可能となる。携帯電話１００とデジタルテレビ２００でまったく同一のコンテンツを再生しても良いが、機能分担することも考えられる。
【０１０７】
一例としては、先に示したようにデジタルテレビ２００でのカラオケ再生中に、リモコン８００や携帯電話１００でのキー操作手順を携帯電話ディスプレイ１０３に表示しても良い。また、カラオケコンテンツの再生で、デジタルテレビで楽曲の再生にあわせて背景画像表示と歌詞の色変わりを行う一方、携帯電話で歌詞全体をスクロール表示できるようにし、手元での歌詞確認を可能としても良い。あるいはデジタルテレビ側では滑らかな歌詞の色変わりを実現するのに対し、携帯電話では行単位の色変わりでの簡易表示にする方法もある。その他、デュエットなど、歌詞パートがいくつかに分かれているような場合には、それぞれの人の携帯電話に歌うべき歌詞のパートを表示し、全体ではデジタルテレビにてカラオケ再生を行うなどの機能分担もある。
【０１０８】
携帯電話でダウンロードしたコンテンツをデジタルテレビに転送する前に、プレビュー表示しても良く、あるいは携帯電話向けコンテンツとデジタルテレビ向けコンテンツのフォーマットの違いがあるような場合、プログラムにより携帯電話用のコンテンツをコンバートしてデジタルテレビに転送するなどしても良い。
【０１０９】
機能分担において、携帯電話での再生とデジタルテレビでの再生を同期する必要がある場合には、赤外線によるネゴシエーションで時刻のずれの調整の後、時刻を決めて再生を開始するなどすればよい。同期再生を利用した機器間での機能分担の例としては、たとえばコンテンツ再生装置を液晶テレビとミニコンポに適用した場合、携帯電話をふくめ、画像表示を液晶テレビにて、音楽再生をミニコンポにて、歌詞表示を携帯電話にて行うなどもある。
以上本発明の第２の実施形態に係るコンテンツ再生システムについて詳細に説明してきた。赤外線通信機能をもつ携帯電話と、赤外線リモコンでの操作が可能なデジタルテレビの組み合わせにより、携帯電話でのコンテンツ利用契約で入手したコンテンツを赤外線にて転送し、デジタルテレビで楽しむことができるようにした。デジタルテレビ用に新たにコンテンツ契約を結び別途コンテンツ契約を結び携帯電話での契約と二重に基本料金を支払うといった事をせずカラオケを楽しむことができる。
【０１１０】
赤外線リモコンでの操作が可能な家電機器はデジタルテレビ以外にも多く存在する。冒頭で述べたように、デジタルテレビへのコンテンツ再生装置２００の適用は一例であり、カーナビ、パソコンをはじめその他家電機器への適用も十分に考えられる。本実施形態でも述べたように、デジタルテレビのメモリに一旦保存したコンテンツをその他の家電機器に転送することも可能とした。これにより機器毎のコンテンツ契約のわずらわしさから開放され、携帯電話でのコンテンツ契約への一本化が計れる。また、幾度もダウンロードするために必要となる時間と費用を抑えることが可能となる。
【０１１１】
また、端末、機器の性能に応じた機能分担も可能であり、コンテンツ再生において様々でかつより用途に適した楽しみ方を提供することが可能である。。
【０１１２】
なお、図６は携帯電話１００の携帯電話ディスプレイ１０３での表示内容としたが、デジタルテレビ２００のＴＶディスプレイ２０３にて表示してもよい。
【０１１３】
なお、本実施の形態では、電話回線を介してインターネット接続プロバイダに接続し、さらにインターネットを介してカラオケサービスプロバイダに接続したが、これは一例であって、電話装置からアクセス可能であれば、どのような通信インフラであっても構わないことは、いうまでもない。
【０１１４】
また、携帯電話ダイヤルボタン１０２、携帯電話機能ボタン１０１に割り付けたカラオケの機能は、一例であり割り付けるボタンの設定は、機器により適切に変更できることはいうまでもない。
【０１１５】
また、携帯電話ダイヤルボタン１０２、携帯電話機能ボタン１０１などのボタン以外の操作子も電話装置に装着される可能性がある、例えば音声認識を用いたボイスコマンドなどを携帯電話ダイヤルボタン１０２、携帯電話機能ボタン１０１に代替えする電話装置では、音声認識のボイスコマンドにカラオケの操作機能を割付けてもよい。
【０１１６】
また、本実施の形態で説明した、ダウンロード手順、演奏手順、着メロ設定手順は一例であって、機器の設計によって、さらに使い勝手の向上のため多少の手順、メニュー構成を変更することも可能である。
【０１１７】
また、本実施の形態では、マイクロホンのミキシングレベル調整機能や、リバーブ機能を追加してさらに本格的なカラオケを楽しめるようにしてもよい。
【０１１８】
ＴＶスピーカ２０４からの出力については、直接スピーカーに出力せず、有線または無線を用いて、ヘッドホン等で出力することによって、人混みの中でも迷惑にならずカラオケ練習することも可能である。
【０１１９】
なお、本実施形態ではコンテンツを文章、音声、楽曲、静止画、動画、または、それらの複合形で表現される情報と定義したが、データから普遍的な表現が得られるコンテンツと、再生するたびに表現される内容が変化しうるコンテンツがある。つまり、ビットマップデータのように普遍的に同じ画像が出力されるコンテンツがある一方、ＭＩＤＩのようにコンテンツ再生機器側にあらかじめ備えられた波形データを並べ替えて再生するため、用意された波形データにより出力される内容が異なる可能性があるコンテンツや、３Ｄキャラクタアニメーションのように骨格、ポリゴン、テクスチャ、骨格の動き情報によりコンテンツ再生機器上で３Ｄキャラクタを組み立て、さらにはリアルタイムの計算によりユーザーのキー入力で任意の視点の画像を表示するコンテンツ等、組み合わせや再構成により新たな表現が得られるコンテンツもある。コンテンツの概念を拡張し、コンテンツ再生装置でコンテンツの再生中に、携帯通信端末でそれぞれのコンテンツに合ったユーザーインタフェイスを実現するためのプログラム（バイナリデータやソースファイル）あるいは画像データや、コンテンツ再生装置のファームウェアのアップデート用データなどを送受信することも可能である。
【０１２０】
また、ダウンロードと逆の要領でデータをアップロードすることも考えられる。一般的なＷＷＷサーバとの通信の場合、データを取得するメソッド（ＧＥＴ）とデータを送信するメソッド（ＰＵＴ）が用意されており、コンテンツサービスプロバイダ６００と接続後、ＰＵＴメソッドにより携帯通信端末１００からデータのアップロードが実現できる。コンテンツ再生装置２００から携帯通信端末１００に赤外線で情報が通知された後、携帯通信端末はコンテンツプロバイダにインターネットを経由して情報を転送する。この機能を利用すれば、カラオケの歌唱採点機能の結果をコンテンツサービスプロバイダにアップロードしランキング表示するコンテスト等を実現できる。また、再生回数を制限するコンテンツなどでは、コンテンツが再生される度、あるいは規定回数再生後にコンテンツサービスプロバイダにその旨を通知するなどして、コンテンツサービスプロバイダはサービスの利用状況を把握することができる。あるいは違法な再生が行われようとした場合等、これをコンテンツサービスプロバイダに通知しても良い。
【０１２１】
さらにはコンテンツ再生装置２００の機器の状態をアップロードすることも考えられる。例えば機器に不具合がある場合、サービスマンが訪問前に機器の状態を知り、ユーザーに対し修理代金の見積もりを的確に提示することも可能になり、あるいは必要な部品や修理に必要な道具を持つことで修理を効率的に行うことも可能になる。
【０１２２】
また最近のテレビショッピングでは、デジタルテレビ画面上でリモコン操作により商品を選択し購入することもできる。リモコン操作の結果（購入希望商品情報他）を携帯電話経由のアップロード機能でコンテンツサービスプロバイダにアップロードすることで、商品購入決済を携帯電話の基本契約情報を用いて行うことができる。これにより決済が簡便となるばかりでなく、商品の届け先も携帯電話の利用明細書の送り先と指定することも可能で、ユーザーにとって住所等の基本情報入力の手間が減るばかりでなく、伝票が毎月確実に送られている送付先であり荷主も当該住所に対し商品をきちんと届けられる可能性が高まるという効果がある。
【０１２３】
商品の代金決済を携帯電話の基本契約を利用せず、コンビニで行うような場合にも、データ（購入希望商品情報他）をアップロードした携帯電話をコンビニに持ち込み、コンビニのＰＯＳシステムの赤外線送受信装置やコンビニに設置してあるキオスク端末の赤外線送受信装置を用いることで、決済で請求書発行を電子化できることで決済に係る設備費用が削減されるばかりでなく、商品購入者と決済者が同一である可能性が高まり、購入の覚えのない請求書をユーザーが受け取ることで生じるトラブルを回避できる可能性が高まる効果もある。
【０１２４】
なお、デジタルテレビ２００をはじめとする機器では今後新たなコンテンツが開発され再生できるようになることが考えられる。未対応のコンテンツデータに対し、組み込まれているハードウェアリソースにて機能が実現できる場合などには、コンテンツサービスプロバイダなどから提供される制御プログラムをダウンロードするなどしてコンテンツを再生するなどの対応が考えられる。新たなハードウェアの追加に関してもその制御プログラムをダウンロードするなどしてコンテンツが再生できるように対応することが考えられる。
【０１２５】
なお、受信したコンテンツ種別の識別はコンテンツサービスプロバイダによる取り決めをはじめとする様々な要因によって手法が異なる。場合によってはデータ中の特殊なビット配列からデータ種別の識別を行う必要が発生することもある。データ種別を識別子（拡張子やヘッダーなど）で識別するものとしたが、コンテンツサービスプロバイダなどから提供される識別用のプログラムを組み込み識別するなどしても良い。あるいはコンテンツ送信前に、ダウンロード機能と先のアップロード機能を併用して、携帯電話を介してコンテンツサービスプロバイダとコンテンツ再生装置の間でネゴシエーションし、コンテンツ再生に際して必要となるプログラムなどを事前に送信し、プログラムのインストールが完了した場合にのみコンテンツを送信するなどしても良い。これにより、コンテンツ再生装置で再生できないコンテンツを誤って購入するといったトラブルを防止できる。
【０１２６】
さらには、外出先からコンテンツプロバイダに接続し、家庭に設置されている携帯通信端末を介して、例えば赤外線通信機能つき冷蔵庫と接続し、庫内に据え付けられた「カメラで写真を撮影する」という命令を埋め込んだコンテンツを冷蔵庫に送り込み、さらに「撮影した写真をアップロードする」という命令を埋め込んだコンテンツを冷蔵庫に送り込むなどすることで、リモートで家電機器を操作し、必要な情報を得ることができる。家電機器側のネットワーク接続を利用せず、携帯通信端末として回線交換による電話回線や暗号化通信の可能なブロードバンド接続されている回線に接続している端末を選択できるため、安心してリモートで家電機器をコントロールできるメリットがある。
【０１２７】
なお、携帯通信端末とコンテンツ再生機器の間を赤外線にて通信するとしたが、家電機器が備える通信手段であれば赤外線に限定する必要の無いことはいうまでもない。たとえば、Ｂｌｕｅｔｏｏｔｈや８０２．１１に代表される無線通信技術は家電機器間での通信技術として急速に広まりを見せ、赤外線に置き換わるとも見られている。携帯通信端末とコンテンツ再生機器がそれぞれ無線通信手段を備え、一方向あるいは双方向の無線通信を本実施形態での赤外線通信に置き換えて実施することで同様の効果が得られる。
【０１２８】
【発明の効果】
以上詳細に説明したように、本発明は、コンテンツサービスプロバイダへの通信機能を有する携帯通信端末から、コンテンツ再生機能を備えるがコンテンツサービスプロバイダへの通信機能を有しないコンテンツ再生装置に対して赤外線にてコンテンツを転送することで、コンテンツ再生装置で例えば最新のカラオケ楽曲をネットワークから取得し再生することと可能とした。
【０１２９】
通信携帯端末を赤外線通信機能をもつ携帯電話に適用し、コンテンツ再生装置を赤外線リモコンでの操作が可能なデジタルテレビに適用し、携帯電話とデジタルテレビの組み合わせにより、デジタルテレビ用に新たにコンテンツ契約を結び別途コンテンツ契約を結び携帯電話での契約と二重に基本料金を支払うといった事をせず例えばカラオケを楽しむことができる。また、デジタルテレビに一旦保存したデータを携帯電話に読み出し、さらに別の家電機器に転送してカラオケを楽しむことを可能とした。端末、機器の性能に応じた機能分担も可能であり、コンテンツ再生において様々でかつより用途に適した楽しみ方を提供することが可能である。赤外線リモコンの受発光部を活用することで家電機器としてのハードウエアコストを維持したままで、コンテンツサービスプロバイダからデジタルテレビへのコンテンツのダウンロードを可能とした。
【図面の簡単な説明】
【図１】本発明の第１の実施形態に係るコンテンツ再生システムの構成を示す図
【図２】図１に係る通信カラオケサービスにおける携帯通信端末およびコンテンツ再生装置の操作手順を説明する図
【図３】本発明の第２の実施形態に係るコンテンツ再生システムの構成を示す図
【図４】本発明の第２の実施形態に係る携帯通信端末（携帯電話）の構成を示すブロック図
【図５】本発明の第２の実施形態に係るコンテンツ再生システム（デジタルテレビ）の構成を示すブロック図
【図６】図３に係るコンテンツ再生システムにおける携帯通信端末（携帯電話）の操作手順を説明する図
【符号の説明】
１００  携帯通信端末
２００  コンテンツ再生装置
３００  電話網
４００  インターネット接続プロバイダ
５００  インターネット
６００  データベース
７００  コンテンツサービスプロバイダ
８００  リモコン
１１  操作手段
１２  通信手段
１３  通信端末表示手段
１４  データ送信手段
２１  データ受信手段
２２  制御手段
２３  楽曲再生手段
２４  再生装置表示手段
１０１  携帯電話機能ボタン
１０２  携帯電話ダイヤルボタン
１０３  携帯電話ディスプレイ
１０４  携帯電話スピーカ
１０５  携帯電話マイク
１０６  携帯電話ディスプレイインタフェイス
１０７  携帯電話ボタンインタフェイス
１０８  携帯電話音声出力インタフェイス
１０９  携帯電話ＭＩＤＩシンセサイザ
１１０  携帯電話プログラムメモリ
１１１  携帯電話通信インタフェイス
１１２  携帯電話アンテナ
１１３  携帯電話音声入力インタフェイス
１１４  携帯電話ＲＡＭ
１１５  携帯電話マイコン
１１６  携帯電話外部メモリ
１１７  携帯電話外部メモリインタフェイス
１１８  携帯電話赤外線インタフェイス
２０３  ＴＶディスプレイ
２０４  ＴＶスピーカ
２０５  ＴＶマイク
２０６  ＴＶディスプレイインタフェイス
２０８  ＴＶ音声出力インタフェイス
２０９  ＴＶ  ＭＩＤＩシンセサイザ
２１０  ＴＶプログラムメモリ
２１３  ＴＶ音声入力インタフェイス
２１４  ＴＶ  ＲＡＭ
２１５  ＴＶマイコン
２１６  ＴＶ外部メモリ
２１７  ＴＶ外部メモリインタフェイス
２１８  ＴＶ赤外線インタフェイス
２１９  ＴＶ電源
８０１  リモコン機能ボタン
８０２  リモコンチャンネル選択ボタン
８１８  リモコン赤外線インタフェイス
【図１】
2004177586.tif 000003
【図２】
2004177586.tif 000004
【図３】
2004177586.tif 000005
【図４】
2004177586.tif 000006
【図５】
2004177586.tif 000007
【図６】
2004177586.tif 000008